(57)【特許請求の範囲】
【請求項１】
テーブルタップが着脱自在に納装される一面開口した箱体と、前記箱体の開口面を開閉自在に覆う蓋体とを備え、前記テーブルタップの電源コードおよび前記テーブルタップに接続される負荷側の電源プラグの電源コードを外部から前記箱体内部に挿通するための電線挿通孔を前記箱体の側面に設けるとともに、前記箱体の開口縁と前記電線挿通孔との間を連通して前記電線挿通孔に前記両電源コードを引き入れるための電線導入口を前記箱体の前記側面に形成し、前記テーブルタップに負荷側の電源プラグを差し込んだ状態で前記電源プラグと前記電源プラグの電源コードとが収納される凹所を前記蓋体に設けて成ることをことを特徴とするテーブルタップ用防滴カバー。
【請求項２】
前記箱体が樹脂から成形され、前記箱体に圧入されたテーブルタップの上面と係止する係止爪を前記箱体の内側面に設けて成ることを特徴とする請求項１記載のテーブルタップ用防滴カバー。
【請求項３】
前記箱体と前記蓋体の合わせ面で前記箱体の開口縁を覆う覆い部を前記箱体に設け、前記箱体の長辺方向では、前記覆い部が前記箱体の開口縁を挟持することを特徴とする請求項１又は２記載のテーブルタップ用防滴カバー。
【請求項４】
前記電線挿通孔から浸入した水滴が前記テーブルタップにかかるのを防ぐための仕切りを設けたことを特徴とする請求項１、２又は３記載のテーブルタップ用防滴カバー。
【請求項５】
前記仕切りが、前記テーブルタップと前記電線挿通孔との間の前記箱体に設けられた隔壁であることを特徴とする請求項４記載のテーブルタップ用防滴カバー。
【請求項６】
前記仕切りが、前記テーブルタップと前記電線挿通孔との間の前記蓋体内面から突設されたリブから成ることを特徴とする請求項４記載のテーブルタップ用防滴カバー。
【請求項７】
前記仕切りが、前記テーブルタップと前記電線挿通孔との間の前記箱体に設けられた隔壁と、前記テーブルタップと前記電線挿通孔との間の前記蓋体内面から突設されたリブとから成ることを特徴とする請求項４記載のテーブルタップ用防滴カバー。
【請求項８】
前記蓋体の表面に丸みを持たせたことを特徴とする請求項１記載のテーブルタップ用防滴カバー。
【発明の詳細な説明】
【０００１】
【発明の属する技術分野】
本発明は、水滴が掛かるような場所で使用されるテーブルタップに水滴が掛かるのを防止するテーブルタップ用防滴カバーに関するものである。
【０００２】
【従来の技術】
従来より、コンセントから離れた場所で電気製品を使用するために、コンセントと電気製品との間を中継するテーブルタップが使用されている。
【０００３】
【発明が解決しようとする課題】
上記構成のテーブルタップでは、負荷の電源プラグの差し込み部が露出しているので、水槽回りなど水滴が掛かりやすい場所でテーブルタップを使用すると、テーブルタップに水滴が掛かり、電源プラグの差し込み部等から水滴が浸入して、短絡や感電などの事故が発生する可能性があった。
【０００４】
本発明は上記問題点に鑑みて為されたものであり、請求項１の発明の目的は、テーブルタップに水滴が掛かるのを防いだテーブルタップ用防滴カバーを提供することにある。
請求項２の発明の目的は、テーブルタップの取り付けを容易にしたテーブルタップ用防滴カバーを提供することにある。
【０００５】
請求項３の発明の目的は、蓋体の上方から流れ落ちる水滴が箱体内に浸入するのを防止したテーブルタップ用防滴カバーを提供することにある。
請求項４乃至７の発明の目的は、電源コードの電線挿通孔から水滴が浸入するのを防止したテーブルタップ用防滴カバーを提供することにある。
請求項８の発明の目的は、防滴効果が得られない方向で使用されるのを防止したテーブルタップ用防滴カバーを提供することにある。
【０００６】
【課題を解決するための手段】
本発明では、上記目的を達成するために、テーブルタップが着脱自在に納装される一面開口した箱体と、箱体の開口面を開閉自在に覆う蓋体とを備え、テーブルタップの電源コードおよびテーブルタップに接続される負荷側の電源プラグの電源コードを外部から箱体内部に挿通するための電線挿通孔を箱体の側面に設けるとともに、箱体の開口縁と電線挿通孔との間を連通して電線挿通孔に両電源コードを引き入れるための電線導入口を箱体の側面に形成し、テーブルタップに負荷側の電源プラグを差し込んだ状態で電源プラグと電源プラグの電源コードとが収納される凹所を蓋体に設けているので、箱体内に納装されたテーブルタップに水滴が掛かるのを防ぐことができる。
【０００７】
請求項２の発明では、請求項１の発明において、箱体が樹脂から成形され、箱体に圧入されたテーブルタップの上面と係止する係止爪を箱体の内側面に設けているので、テーブルタップを箱体に圧入するだけで、箱体に容易に取り付けることができる。
請求項３の発明では、請求項１又は２の発明において、箱体と蓋体の合わせ面で箱体の開口縁を覆う覆い部を箱体に設け、箱体の長辺方向では、覆い部が箱体の開口縁を挟持しているので、蓋体の表面を流れ落ちる水滴が箱体と蓋体の合わせ面から箱体内部に浸入するのを防止できる。
【０００８】
請求項４の発明では、請求項１、２又は３の発明において、電線挿通孔から浸入した水滴がテーブルタップにかかるのを防ぐための仕切りを設けているので、電線挿通孔から浸入した水がテーブルタップに掛かるのを防ぐことができる。
請求項５の発明では、仕切りがテーブルタップと電線挿通孔との間の箱体に設けられた隔壁からなり、請求項６の発明では、仕切りがテーブルタップと電線挿通孔との間の蓋体内面から突設されたリブからなり、請求項７の発明では、仕切りがテーブルタップと電線挿通孔との間の箱体に設けられた隔壁と、テーブルタップと電線挿通孔との間の蓋体内面から突設されたリブとから構成されているので、請求項４の発明と同様に、電線挿通孔から浸入した水がテーブルタップに掛かるのを防ぐことができる。
【０００９】
請求項８の発明では、請求項１の発明において、蓋体の表面に丸みを持たせているので、蓋体を下にして使用されるのを防ぐことができる。
【００１０】
【発明の実施の形態】
本発明の実施の形態を図面を参照して説明する。
（実施形態１）
図１及び図２に示すように、本実施形態のテーブルタップ用防滴カバー１は、一面開口した樹脂製の箱体２と、箱体２の開口面２９を開閉自在に覆う樹脂製の蓋体３とから構成されており、６個口のテーブルタップ６が箱体２に着脱自在に取り付けられ、テーブルタップ用防滴カバー１内に納装されている。
【００１１】
箱体２の長辺方向の側面の端部には、蓋体３の回動軸（図示せず）が回動自在に軸着される軸孔２４が穿孔されるとともに、蓋体３の端面と当接することによって蓋体３の回動を規制するストッパー２５が突設されている。一方、蓋体３の長手方向の側面には、回動軸が内側に突設された回動支持部３６が設けられており、回動軸を軸孔２４に軸着させることによって、蓋体３は回動軸及び軸孔２４を支点として回動する。この時、箱体２の端面が箱体２のストッパー２５と当接することにより、蓋体３の回動が規制される。
【００１２】
箱体２の長辺方向の内側面には、箱体２内に圧入されたテーブルタップ６の上面と係止する係止爪２３，２３が設けられている。テーブルタップ６を箱体２に取り付ける際に、テーブルタップ６を箱体２の開口面２９から押し込むと、テーブルタップ６の下面と係止爪２３，２３とが接触する。テーブルタップ６を箱体２内にさらに押し込むと、箱体２の長辺方向の側面が外側に撓み、テーブルタップ６は係止爪２３，２３を乗り越え、テーブルタップ６の上面と係止爪２３，２３が係止し、テーブルタップ６の抜け止めを行っている。さらに、箱体２の裏面から挿通された取付ねじ１０ａをテーブルタップ６の裏面に設けられたねじ孔（図示せず）に螺入することによって、テーブルタップ６を箱体２に固定している。
【００１３】
また、箱体２の短辺方向の側面のうち、軸孔２４が穿孔された側と反対側の側面には、テーブルタップ６の電源コード７を外部に引き出すための電線挿通孔２１と、箱体２の開口縁２６から電線挿通孔２１に連通する電線導入口２２とが設けられており、テーブルタップ６を箱体２内に圧入した後に、その電源コード７を電線導入口２２を通して電線挿通孔２１に引き入れている。
【００１４】
蓋体３は、図２（ａ）に示すように、６個口のテーブルタップ６に差し込まれた負荷側の電源プラグ８やその電源コード８ａが納められる凹所３１を備えているので、テーブルタップ６に負荷側の配線を行った後に、蓋体３を閉じることができる。また、蓋体３は透明又は半透明の樹脂から成形されているので、蓋体３を閉じた状態でも、外部からテーブルタップ用防滴カバー１内の状態を見ることができる。
【００１５】
図３に示すように、箱体２と蓋体３の合わせ面では、箱体２の開口縁２６と蓋体３の覆い部３２が重なり合っており、覆い部３２が開口縁２６の外側に張り出して、開口縁２６を覆っている。したがって、蓋体３の表面を流れ落ちてきた水滴は、覆い部３２を通り箱体２の外側に流れるので、箱体２内に水滴が浸入するのを防ぐことができる。ところで、開口縁２６には外向きに突出する突起部２６ａが形成されており、覆い部３２の内面には突起部２６ａと係止離脱自在に係止する凹部３３が形成されているので、蓋体３を閉じると、突起部２６ａが凹部３３と係止して、蓋体３が箱体２にラッチされる。
【００１６】
ところで、箱体２の長辺方向の開口縁２６は経年変化等により歪みが生じやすく、箱体２と蓋体３との間に生じた隙間から水滴が浸入しやすくなる。そこで、図４に示すように、蓋体３の長辺方向において、覆い部３２との間で箱体２の開口縁２６を挟持するガイド部３４を蓋体３に設けている。したがって、蓋体３を閉じた状態で、箱体２の開口縁２６が蓋体３の覆い部３２とガイド部３４との間に挟持されるので、開口縁２６に歪み等が生じるのを防いでいる。
【００１７】
また、電線挿通孔２１からカバー１内に浸入した水滴がテーブルタップ６に掛かるのを防ぐために、テーブルタップ６と電線挿通孔２１との間の箱体２に仕切りとしての隔壁４が取り付けられる。隔壁４は２本の脚片４２，４２の間に水滴を遮る遮蔽面４１が橋絡されており、脚片４２，４２の先端には爪部４５，４５と突起４６，４６が夫々形成されている。脚片４２，４２を箱体２の底面に形成された長孔２８，２８に圧入すると、爪部４５，４５が内側に撓められる。突起４６，４６が箱体２の底面に当接するまで脚片４２，４２を長孔２８，２８に圧入すると、爪部４５，４５が箱体２の裏面側に突出して、箱体２の裏面と係止し、隔壁４の抜け止めが行われ、隔壁４は箱体２に取り付けられる。また、遮蔽面４１の上端部４３は、テーブルタップ６に接続された電源プラグ８の電源コード８ａをガイドしており、テーブルタップ６の電源コード７は遮蔽面４１の下側に設けられた凹所４４を通っている。
【００１８】
一方、テーブルタップと電線挿通孔との間の蓋体３の内面から仕切りたるリブ３５が垂下されている。テーブルタップ６に差し込まれた電源プラグ８の電源コード８ａは隔壁４の上方を通り、電線挿通孔２１から外部に引き出されており、リブ３５が、蓋体３の天井面と隔壁４との間を塞いでいるので、電線挿通孔２１から浸入した水滴がテーブルタップ６に掛かる前に、水滴を下方に落として水切りを行っている。このように、本実施形態のテーブルタップ用防滴カバー１では、仕切りとしての隔壁４及びリブ３５が電線挿通孔２１から浸入した水滴がテーブルタップ６に掛かるのを防いでいる。
【００１９】
このテーブルタップ用防滴カバー１の取付状態を図６及び図７を用いて説明する。図６に示すように、テーブルタップ用防滴カバー１を床面や机等の設置面９ａ上に置いて使用する場合、蓋体３を上にして設置面９ａ上にそのまま置いている。ここで、図３及び図４に示すように、覆い部３２は開口縁２６の外側に張り出しているので、蓋体３を下にして使用すると、箱体２の表面を流れ落ちてきた水滴が開口縁２６と覆い部３２の合わせ面からカバー内に浸入し、防滴効果が得られなくなる。本発明では、蓋体３の上面に丸みを持たせているので、蓋体３を下にして設置しようとしても、テーブルタップ用防滴カバー１が横倒しになるため、防滴効果が得られない方向で使用されるのを防いでいる。尚、テーブルタップ用防滴カバー１が倒れ易い場合は、箱体２の裏面に両面テープ等を張り付けて設置面９ａに固定してもよい。
【００２０】
また、図７に示すように、テーブルタップ用防滴カバー１を壁面等の取付面９ｂに引っ掛ける使用する場合、取付面９ｂに螺入された取付ねじ１０ｄ，１０ｄの頭を、箱体２の裏面に穿孔されただるま孔２７，２７の丸孔部２７ａ，２７ａに挿入し、さらに、取付ねじ１０ｄ，１０ｄのねじ部をだるま孔２７，２７の長孔部２７ｂ，２７ｂに導入することによりテーブルタップ用防滴カバー１を取付面９ｂに引っ掛けている。本発明のテーブルタップ用防滴カバー１では、だるま孔２７の丸孔部２７ａが電線挿通孔２１側に設けられているので、上述の手順でテーブルタップ用防滴カバー１を取付面９ｂに取り付けると、電線挿通孔２１が下側を向くので、水滴がカバー内に浸入しにくくなっている。
【００２１】
尚、本実施形態では隔壁４を箱体２と別体に設けているが、隔壁４を箱体２と一体に成形してもよい。
（実施形態２）
実施形態１では６個口のテーブルタップ６にテーブルタップ用防滴カバー１を使用しているが、本実施形態では２個口のテーブルタップに適用している。
【００２２】
図５に示すように、箱体２に取付ねじ１０ａ，１０ｃを用いて取付け板５を取付けた後、２個口のテーブルタップ６ａを取付ねじ１０ｂを用いて取付け板５に取り付けている。
このように、取付け板５を使用することにより、６個口のテーブルタップ６以外の既製のテーブルタップにもテーブルタップ用防滴カバー１を使用することができる。
【００２３】
尚、取付け板５及びテーブルタップ６ａ以外の構成は実施形態１と同様であるので、その説明は省略する。
【００２４】
【発明の効果】
請求項１の発明は、上述のように、テーブルタップが着脱自在に納装される一面開口した箱体と、箱体の開口面を開閉自在に覆う蓋体とを備え、テーブルタップの電源コードおよびテーブルタップに接続される負荷側の電源プラグの電源コードを外部から箱体内部に挿通するための電線挿通孔を箱体の側面に設けるとともに、箱体の開口縁と電線挿通孔との間を連通して電線挿通孔に両電源コードを引き入れるための電線導入口を箱体の側面に形成し、テーブルタップに負荷側の電源プラグを差し込んだ状態で電源プラグと電源プラグの電源コードとが収納される凹所を蓋体に設けているので、箱体内に納装されたテーブルタップに水滴が掛かるのを防ぐことができるという効果がある。
【００２５】
請求項２の発明は、箱体が樹脂から成形され、箱体に圧入されたテーブルタップの上面と係止する係止爪を箱体の内側面に設けているので、テーブルタップを箱体に圧入するだけで、箱体に容易に取り付けることができるという効果がある。
請求項３の発明は、箱体と蓋体の合わせ面で箱体の開口縁を覆う覆い部を箱体に設け、箱体の長辺方向では、覆い部が箱体の開口縁を挟持しているので、蓋体の表面を流れ落ちる水滴が箱体と蓋体の合わせ面から箱体内部に浸入するのを防止できるという効果がある。
【００２６】
請求項４の発明は、電線挿通孔から浸入した水滴がテーブルタップにかかるのを防ぐための仕切りを設けているので、電線挿通孔から浸入した水がテーブルタップに掛かるのを防ぐことができるという効果がある。
請求項５の発明は、仕切りがテーブルタップと電線挿通孔との間の箱体に設けられた隔壁からなり、請求項６の発明は、仕切りがテーブルタップと電線挿通孔との間の蓋体内面から突設されたリブからなり、請求項７の発明は、仕切りがテーブルタップと電線挿通孔との間の箱体に設けられた隔壁と、テーブルタップと電線挿通孔との間の蓋体内面から突設されたリブとから構成されているので、請求項４の発明と同様に、電線挿通孔から浸入した水がテーブルタップに掛かるのを防ぐことができるという効果がある。
【００２７】
請求項８の発明は、蓋体の表面に丸みを持たせているので、蓋体を下にして使用されるのを防ぐことができるという効果がある。
【図面の簡単な説明】
【図１】実施形態１のテーブルタップ用防滴カバーを示す分解斜視図である。
【図２】同上のテーブルタップ用防滴カバーを示し、（ａ）は正面断面図、（ｂ）は左側面図、（ｃ）は右側面図、（ｄ）は上面図、（ｅ）は蓋体を外した状態の上面図、（ｆ）は下面図である。
【図３】同上のテーブルタップ用防滴カバーを示す要部拡大図である。
【図４】同上のテーブルタップ用防滴カバーを示す別の要部拡大図である。
【図５】実施形態２のテーブルタップ用防滴カバーを示す分解斜視図である。
【図６】同上のテーブルタップ用防滴カバーの取付状態を示す外観図である。
【図７】同上のテーブルタップ用防滴カバーの別の取付状態を示す外観図である。
【符号の説明】
１  テーブルタップ用防滴カバー
２  箱体
３  蓋体
４  隔壁
６  テーブルタップ
７  電源コード
２１  電線挿通孔
２３  係止爪
２９  開口面
【図１】
0003551659.tif 000002
【図２】
0003551659.tif 000003
【図３】
0003551659.tif 000004
【図４】
0003551659.tif 000005
【図５】
0003551659.tif 000006
【図６】
0003551659.tif 000007
【図７】
0003551659.tif 000008